(57)【要約】【課題】生成された活性種がより活用されるようにする。【解決手段】空気清浄ユニットは、荷電部（40）と、帯電した塵埃を捕集する集塵部（60）と、放電によって活性種を生成する活性種生成部（50）と、上記活性種を上記集塵部（60）の上流に搬送するダクト（36a;36b）とを有する。活性種生成部（50）は、ケーシング（51）に形成された少なくとも１つの流入口（52a;52b）と、ケーシング（51）内に配置され、上記活性種を生成する放電部（54a;54b）とを有する。ダクト（36a;36b）の内部流路（39）は、ケーシング（51）の内部空間に連通する。放電部（54a;54b）は、平面視において、流入口（52a;52b）からダクト（36a;36b）の取り入れ口（37a;37b）への搬送空気の経路上に、配置されている。【選択図】図１４
2015016412.tif 000002
【特許請求の範囲】
【請求項１】
空気中の塵埃を帯電させる荷電部（40）と、
上記荷電部（40）を通過した被処理空気の流れにおいて上記荷電部（40）の下流に配置され、帯電した塵埃を捕集する集塵部（60）と、
放電によって活性種を生成する活性種生成部（50）と、
上記活性種を、上記集塵部（60）の上流に搬送するダクト（36a;36b）とを備え、
上記活性種生成部（50）は、
ケーシング（51）と、
上記ケーシング（51）に形成された少なくとも１つの流入口（52a;52b）と、
上記ケーシング（51）内に配置され、放電をするための電極を有し、上記活性種を生成する放電部（54a;54b）とを有し、
上記ダクト（36a;36b）の内部流路（39）は、上記ケーシング（51）の内部空間に連通し、
上記放電部（54a;54b）は、上記被処理空気の流れの上流からの平面視において、上記流入口（52a;52b）から、上記活性種を取り入れる、上記ダクト（36a;36b）の取り入れ口（37a;37b）への、搬送空気の経路上に、配置されている
空気清浄ユニット。
【請求項２】
請求項１において、
上記放電部（54a;54b）は、上記平面視において、上記流入口（52a;52b）と上記ダクト（36a;36b）の上記取り入れ口（37a;37b）とを結ぶ直線上に、配置されている
空気清浄ユニット。
【請求項３】
請求項２において、
上記流入口（52a,52b）の数は２以上であり、
上記放電部（54a;54b）は、上記平面視において、上記流入口（52a,52b）のうち上記ダクト（36a;36b）の上記取り入れ口（37a;37b）に最も近い流入口（52a;52b）と上記ダクト（36a;36b）の上記取り入れ口（37a;37b）とを結ぶ直線上に、配置されている
空気清浄ユニット。
【請求項４】
請求項１において、
上記活性種生成部（50）は、上記放電部（54a;54b）を経由するように上記流入口（52a;52b）からの搬送空気を誘導する整流板（59a;59b）を更に有する
空気清浄ユニット。
【請求項５】
請求項１において、
上記ダクト（36a,36b）の数は２以上であり、
上記放電部（54a;54b）は、上記平面視において、上記ダクト（36a,36b）のそれぞれについて、上記流入口（52a;52b）から上記ダクト（36a;36b）の上記取り入れ口（37a;37b）への搬送空気の経路上に、配置されている
空気清浄ユニット。
【請求項６】
請求項５において、
上記流入口（52a,52b）の数は２以上であり、
上記放電部（54a;54b）は、上記平面視において、上記ダクト（36a,36b）のそれぞれについて、上記流入口（52a,52b）のうち上記ダクト（36a;36b）の上記取り入れ口（37a;37b）に最も近い流入口（52a;52b）と上記ダクト（36a;36b）の上記取り入れ口（37a;37b）とを結ぶ直線上に、配置されている
空気清浄ユニット。
【請求項７】
請求項１において、
上記流入口（52a;52b）は、上記平面視において、上記放電部（54a;54b）に関して上記取り入れ口（37a;37b）の反対側に形成されている
空気清浄ユニット。
【発明の詳細な説明】
【技術分野】
【０００１】
本発明は、空気中の塵埃の捕集等を行う空気清浄ユニットに関する。
【背景技術】
【０００２】
例えば特許文献１に開示されているような空気清浄機が知られている。この空気清浄機は、電気集塵ユニットとオゾン分解装置とを有し、空気調和装置の室内ユニットに収納されている。電気集塵ユニットは、荷電電極と集塵電極を有している。電気集塵ユニットでは、被処理空気中の塵埃が、荷電電極のコロナ放電によって帯電し、その後、集塵電極に吸着される。また、電気集塵ユニットでは、荷電電極のコロナ放電によってオゾン（活性種）が生成され、集塵電極に吸着された塵埃がオゾンによって除菌される。
【先行技術文献】
【特許文献】
【０００３】
【特許文献１】特開平９−１７３７６２号公報
【発明の概要】
【発明が解決しようとする課題】
【０００４】
特許文献１の空気清浄機では、電気集塵ユニットの荷電電極が、塵埃を帯電させる荷電作用と、オゾンを生成する活性種生成作用とを兼ねているため、それぞれの機能を最適に発揮させることが困難である。これに対し、荷電作用を行う荷電部と、放電によって活性種を生成する放電部とを別個に設けることもできる。
【０００５】
放電部を空気流れにおける中央に配置すると、放電部に係る電気配線が空気の流れを妨げるので、放電部は、例えば空気流れの外側に配置される。この場合、ダクトを用いると、放電部で生成された活性種を、空気流れの中に搬送して拡散させることができる。
【０００６】
しかし、放電部の位置によっては、活性種が滞留してしまい、活性種がダクトに十分に搬送されないことがある。活性種の寿命は限られているので、このような場合には、生成された活性種が十分に活用されないという問題がある。
【０００７】
本発明の目的は、生成された活性種を効率よく搬送して、生成された活性種がより活用されるようにすることである。
【課題を解決するための手段】
【０００８】
第１の発明の空気清浄ユニットは、空気中の塵埃を帯電させる荷電部（40）と、上記荷電部（40）を通過した被処理空気の流れにおいて上記荷電部（40）の下流に配置され、帯電した塵埃を捕集する集塵部（60）と、放電によって活性種を生成する活性種生成部（50）と、上記活性種を、上記集塵部（60）の上流に搬送するダクト（36a;36b）とを有する。上記活性種生成部（50）は、ケーシング（51）と、上記ケーシング（51）に形成された少なくとも１つの流入口（52a;52b）と、上記ケーシング（51）内に配置され、放電をするための電極を有し、上記活性種を生成する放電部（54a;54b）とを有する。上記ダクト（36a;36b）の内部流路（39）は、上記ケーシング（51）の内部空間に連通し、上記放電部（54a;54b）は、上記被処理空気の流れの上流からの平面視において、上記流入口（52a;52b）から、上記活性種を取り入れる、上記ダクト（36a;36b）の取り入れ口（37a;37b）への、搬送空気の経路上に、配置されている。
【０００９】
第１の発明では、放電部（54a;54b）は、被処理空気の流れの上流からの平面視において、流入口（52a;52b）からダクト（36a;36b）の取り入れ口（37a;37b）への搬送空気の経路上に、配置されている。流入口（52a;52b）からの搬送空気の流れが放電部（54a;54b）を経由するので、放電部（54a）で生成された活性種をダクト（36a,36b）に確実に送り込むことができる。活性種が速やかに搬送されるので、短寿命の活性種も有効に利用され得る。
【００１０】
第２の発明の空気清浄ユニットでは、第１の発明において、上記放電部（54a;54b）は、上記平面視において、上記流入口（52a;52b）と上記ダクト（36a;36b）の上記取り入れ口（37a;37b）とを結ぶ直線上に、配置されている。
【００１１】
第２の発明では、放電部（54a;54b）が、上記平面視において、流入口（52a;52b）とダクト（36a;36b）の取り入れ口（37a;37b）とを結ぶ直線上に、配置されている。流入口（52a;52b）からの搬送空気は、基本的には上記直線上を流れるので、放電部（54a）で生成された活性種をダクト（36a,36b）に確実に送り込むことができる。
【００１２】
第３の発明の空気清浄ユニットでは、第２の発明において、上記流入口（52a,52b）の数は２以上であり、上記放電部（54a;54b）は、上記平面視において、上記流入口（52a,52b）のうち上記ダクト（36a;36b）の上記取り入れ口（37a;37b）に最も近い流入口（52a;52b）と上記ダクト（36a;36b）の上記取り入れ口（37a;37b）とを結ぶ直線上に、配置されている。
【００１３】
第３の発明では、放電部（54a;54b）が、上記平面視において、流入口（52a,52b）のうちダクト（36a;36b）の取り入れ口（37a;37b）に最も近い流入口（52a;52b）とダクト（36a;36b）の取り入れ口（37a;37b）とを結ぶ直線上に、配置されている。最も近い流入口（52a;52b）からの搬送空気がダクト（36a;36b）に流れるので、活性種をダクト（36a,36b）に、より確実に送り込むことができる。
【００１４】
第４の発明の空気清浄ユニットでは、第１の発明において、上記活性種生成部（50）は、上記放電部（54a;54b）を経由するように上記流入口（52a;52b）からの搬送空気を誘導する整流板（59a;59b）を更に有する。
【００１５】
第４の発明では、整流板（59a;59b）を有するので、放電部（54a;54b）が、流入口（52a;52b）とダクト（36a;36b）の取り入れ口（37a;37b）とを結ぶ直線上に配置されていなくても、搬送空気が放電部（54a;54b）を経由するようにすることができる。
【００１６】
第５の発明の空気清浄ユニットでは、第１の発明において、上記ダクト（36a,36b）の数は２以上であり、上記放電部（54a;54b）は、上記平面視において、上記ダクト（36a,36b）のそれぞれについて、上記流入口（52a;52b）から上記ダクト（36a;36b）の上記取り入れ口（37a;37b）への搬送空気の経路上に、配置されている。
【００１７】
第５の発明では、ダクト（36a,36b）の数が２以上である場合においても、流入口（52a;52b）からの搬送空気の流れが放電部（54a;54b）を経由するので、放電部（54a）で生成された活性種をダクト（36a,36b）に確実に送り込むことができる。
【００１８】
第６の発明の空気清浄ユニットでは、第５の発明において、上記流入口（52a,52b）の数は２以上であり、上記放電部（54a;54b）は、上記平面視において、上記ダクト（36a,36b）のそれぞれについて、上記流入口（52a,52b）のうち上記ダクト（36a;36b）の上記取り入れ口（37a;37b）に最も近い流入口（52a;52b）と上記ダクト（36a;36b）の上記取り入れ口（37a;37b）とを結ぶ直線上に、配置されている。
【００１９】
第６の発明では、ダクト（36a,36b）の数が２以上である場合においても、最も近い流入口（52a;52b）からの搬送空気がダクト（36a;36b）に流れるので、活性種をダクト（36a,36b）により確実に送り込むことができる。
【００２０】
第７の発明の空気清浄ユニットでは、第１の発明において、上記流入口（52a;52b）は、上記平面視において、上記放電部（54a;54b）に関して上記取り入れ口（37a;37b）の反対側に形成されている。
【００２１】
第７の発明では、流入口（52a;52b）が、放電部（54a;54b）に関して取り入れ口（37a;37b）の反対側に形成されているので、放電部（54a;54b）で生成された活性種をダクト（36a;36b）に確実に送り込むことができる。
【発明の効果】
【００２２】
第１〜第７の発明によれば、生成された活性種を効率よく搬送して、生成された活性種がより活用されるようにすることができる。したがって、活性種による除菌等の機能をよりよく発揮させることができる。
【図面の簡単な説明】
【００２３】
【図１】図１は、本発明の実施形態に係る空気調和装置の室内ユニットの概略構成を示す縦断面図である。
【図２】図２は、空気清浄ユニットの外観を示す斜視図である。
【図３】図３は、空気清浄ユニットの下面図である。
【図４】図４は、空気清浄ユニットの内部構造を示す概略の縦断面図であり、図３のＸ−Ｘ断面に相当するものである。
【図５】図５は、図３の放電部を示す平面図である。
【図６】図６は、図３の放電部の縦断面を示す構成図である。
【図７】図７は、図３の活性種生成部の横断面図である。
【図８】図８は、空気清浄ユニットの内部構造（集塵部の構造）を示す斜視図である。
【図９】図９は、集塵部を上流側（下側）から視た平面図である。
【図１０】図１０は、集塵部を下流側（上側）から視た平面図である。
【図１１】図１１は、集塵ユニットの分解斜視図である。
【図１２】図１２は、集塵ユニットの高圧電極の基台部の一部を上流側から視た平面図である。
【図１３】図１３は、集塵ユニットの集塵電極の基台部の一部の横断面図である。
【図１４】図１４は、活性種生成部の流入口及び放電部の配置の例を示す平面図である。
【図１５】図１５は、活性種生成部の流入口及び放電部の配置の他の例を示す平面図である。
【図１６】図１６は、活性種生成部の流入口及び放電部の配置の他の例を示す平面図である。
【図１７】図１７は、活性種生成部の流入口及び放電部の配置の他の例を示す平面図である。
【図１８】図１８は、活性種生成部の流入口及び放電部の配置の他の例を示す平面図である。
【図１９】図１９は、活性種生成部の流入口及び放電部の配置の他の例を示す平面図である。
【発明を実施するための形態】
【００２４】
以下、本発明の実施の形態について、図面を参照しながら説明する。図面において同じ参照番号で示された構成要素は、同一の又は類似の構成要素である。なお、以下の実施形態は、本質的に好ましい例示であって、本発明、その適用物、あるいはその用途の範囲を制限することを意図するものではない。
【００２５】
図１は、本発明の実施形態に係る空気調和装置（10）の室内ユニット（11）の概略構成を示す縦断面図である。空気調和装置（10）は、室内ユニット（11）と室外ユニット（図示省略）とを有している。室内ユニット（11）は、室内の天井に設置される、いわゆる天井埋込型に構成される。室内ユニット（11）は、例えば天井に吊り下げられる天井吊下型であってもよいし、室内の壁に設置される壁掛型であってもよい。
【００２６】
〈室内ユニットの構成〉
図１に示すように、室内ユニット（11）は、天井の内部に埋め込まれる室内ケーシング（12）を備えている。室内ケーシング（12）は、下側が開放された箱状のケーシング本体（13）と、該ケーシング本体（13）の下側の開口部に取り付けられる化粧パネル（14）とを有している。
【００２７】
化粧パネル（14）は、上下に扁平な矩形の板状に形成されており、室内空間に面している。化粧パネル（14）の中央部には、１つの矩形状の吸込口（14a）が形成されている。この吸込口（14a）には、吸込グリル（15）が嵌め込まれている。吸込グリル（15）は、その中央部に複数の吸込孔を有する格子板状に形成されている。化粧パネル（14）には、吸込口（14a）を囲むように４つの吹出口（14b）が形成される。各吹出口（14b）は、吸込口（14a）の４つの側辺に沿って延びる縦長の矩形状に形成されている。各吹出口（14b）の内部には、吹出空気の風向を調節する風向調節板（14c）（フラップ）が設けられる。
【００２８】
ケーシング本体（13）の内部には、ベルマウス（16）と、室内ファン（17）と、室内熱交換器（18）と、ドレンパン（19）とが収容されている。ベルマウス（16）は、吸込グリル（15）の上方に配置されている。吸込グリル（15）とベルマウス（16）の間には、空気清浄部（20）が収容される収容空間（S）が形成される。空気清浄部（20）は、プレフィルタ（21）、空気清浄ユニット（30）、及び脱臭分解部（22）によって構成される（詳細は後述する）。
【００２９】
室内ファン（17）は、ベルマウス（16）の上方に配置され、ターボファンで構成される。室内ファン（17）は、ベルマウス（16）の中央部から吸い込んだ空気を径方向外方へ搬送する。室内熱交換器（18）は、室内ファン（17）を囲むように配置される。室内熱交換器（18）では、その内部を流れる冷媒と、室内ファン（17）が搬送した空気とが熱交換する。ドレンパン（19）は、室内熱交換器（18）の下方に配置される。ドレンパン（19）の内部には、室内熱交換器（18）の近傍で発生した結露水が回収される。
【００３０】
室内ユニット（11）では、吸込グリル（15）に吸い込まれた空気が、空気清浄部（20）、ベルマウス（16）、及び室内熱交換器（18）を順に通過する。室内熱交換器（18）で冷却又は加熱された空気は、各吹出口（14b）から室内空間へ供給される。
【００３１】
〈空気清浄部の全体構成〉
図１に示すように、空気清浄部（20）は、室内ユニット（11）の収容空間（S）に配置される。収容空間（S）では、上流側から下流側に向かって順に、プレフィルタ（21）、空気清浄ユニット（30）、及び脱臭分解部（22）が配置される。
【００３２】
プレフィルタ（21）は、吸込口（14a）から吸い込まれた空気中の比較的大きな塵埃を物理的に捕集する。
【００３３】
空気清浄ユニット（30）は、イオン化部（40）（荷電部）と、活性種生成部（50）と、集塵部（60）とを有している。イオン化部（40）は、例えばコロナ放電を行うことにより、空気中の塵埃や菌を正又は負の電荷に帯電させる。活性種生成部（50）は、ストリーマ放電を行うことにより、空気を浄化するための活性種（ラジカル、イオン、高速電子、オゾン等）を生成する。集塵部（60）は、イオン化部（40）を通過した被処理空気の流れにおいてイオン化部（40）の下流に配置される。集塵部（60）は、イオン化部（40）で帯電した塵埃や菌を電気的に捕集する。空気清浄ユニット（30）の詳細な構成は後述する。
【００３４】
脱臭分解部（22）は、空気中の臭気成分や有害成分を吸着して除去する触媒フィルタで構成されている。具体的に、脱臭分解部（22）は、多数の通風孔を有する基材の表面に触媒や吸着剤等の機能性材料が担持されて構成されている。脱臭分解部（22）の基材は、例えばメッシュ状、ハニカム状、格子状に形成されている。脱臭分解部（22）の触媒としては、マンガン系や貴金属系の触媒が用いられる。また、脱臭分解部（22）の吸着剤としては、ゼオライトや活性炭等が用いられる。脱臭分解部（22）では、臭気成分や有害成分が吸着されて除去される。脱臭分解部（22）に吸着された臭気成分や有害成分は、活性種生成部（50）で発生した活性種によって徐々に分解される。また、脱臭分解部（22）では、活性種生成部（50）で発生した活性種も分解される。
【００３５】
〈空気清浄ユニットの構成〉
空気清浄ユニット（30）の構成について、図面を参照しながら詳細に説明する。
【００３６】
−ユニットケース、及びその周辺構造の構成−
図２は、空気清浄ユニット（30）の外観を示す斜視図である。図３は、空気清浄ユニット（30）の下面図である。図４は、空気清浄ユニット（30）の内部構造を示す概略の縦断面図であり、図３のＸ−Ｘ断面に相当するものである。
【００３７】
図２〜図４に示すように、空気清浄ユニット（30）は、上下に扁平な直方体状のユニットケース（31）と、活性種生成部（50）とを有している。ユニットケース（31）は、下面パネル（31a）と、上面パネル（31b）と、４枚の側面パネル（31c,31d,31e,31f）とを有している。４枚の側面パネル（31c,31d,31e,31f）は、ユニットケース（31）の長手方向の両端側にそれぞれ形成される第１と第２の側面パネル（31c,31d）と、ユニットケース（31）の幅方向の両端側にそれぞれ形成される第３と第４の側面パネル（31e,31f）とで構成される。ユニットケース（31）は、下面パネル（31a）が吸込グリル（15）に対向し且つ上面パネル（31b）がベルマウス（16）に対向する状態で、収容空間（S）に設置されている。
【００３８】
図２及び図３に示すように、下面パネル（31a）には、複数の主流入口（32）が形成されている。活性種生成部（50）は、ケーシング（51）と、流入口（52a）と、放電部（54a）とを有する。ケーシング（51）には、流入口（52a）が形成されている。また、図４に示すように、上面パネル（31b）には、流出口（34）が形成される。ユニットケース（31）では、主流入口（32）から流出口（34）に亘って空気が流れる主空気流路（P1）が形成される。また、流入口（52a）は、後述する副空気流路を介して主空気流路（P1）と連通している。
【００３９】
複数の主流入口（32）は、下面パネル（31a）のうち第１側面パネル（31c）寄りに形成され、流入口（52a）は、第２側面パネル（31d）寄りに形成される。各主流入口（32）は、第１側面パネル（31c）の近傍から流入口（52a）の近傍に亘って延びる縦長の開口で構成される。各主流入口（32）は、互いに平行となるように等間隔を置いてユニットケース（31）の幅方向に配列される。流入口（52a）は第２側面パネル（31d）に沿うようにユニットケース（31）の幅方向に延びている。流入口（52a）は、ユニットケース（31）の幅方向の中間部に位置している。
【００４０】
下面パネル（31a）では、流入口（52a）の全体の開口面積が、主流入口（32）の全体の開口面積（全ての主流入口（32）の開口面積を合計した面積）よりも極めて小さくなっている（図３を参照）。従って、空気清浄ユニット（30）に流入した空気のほとんどが主流入口（32）に流入し、残りの空気が流入口（52a）に流入する。
【００４１】
−イオン化部、及びその周辺構造の構成−
図２〜図４に示すように、主空気流路（P1）の上流部には、イオン化部（40）が配置される。イオン化部（40）は、複数のイオン化線（41）と、該イオン化線（41）に対向して配置される複数の荷電用電極（42）とを備えている。
【００４２】
イオン化線（41）は、各主流入口（32）に対応する位置に１本ずつ配置されている。イオン化線（41）は、導電性を有する金属材料（例えばタングステン線）であり、線状の線状電極を構成している。イオン化線（41）は、主流入口（32）の長手方向に真っ直ぐに延びている。イオン化線（41）は、主流入口（32）の長手方向の両端に亘るように張架されている。具体的に、イオン化線（41）の一端は、主流入口（32）のうち第２側面パネル（31d）側の内縁の近傍に固定されている。また、イオン化線（41）の他端は、取付端子（43）及びバネ部材（44）を介して、主流入口（32）のうち第１側面パネル（31c）側の内縁の近傍に固定されている。バネ部材（44）は、イオン化線（41）の長手方向に伸縮変形が可能な弾性部材で構成されている。このバネ部材（44）により、イオン化線（41）の長手方向の張力が適正に調節される。
【００４３】
荷電用電極（42）は、各主流入口（32）に対応する位置に配置されている。イオン化部（40）では、一対の荷電用電極（42）の間にイオン化線（41）が介在する。荷電用電極（42）は、導電性を有する金属材料で構成される。荷電用電極（42）は、主流入口（32）やイオン化線（41）の長手方向に真っ直ぐに伸びた板状に形成され、その板厚方向の端面がイオン化線（41）に対向している。
【００４４】
図４に示すように、空気清浄ユニット（30）は、イオン化線（41）及び荷電用電極（42）に電位差を付与するための荷電用電源部（45）を備えている。荷電用電源部（45）は、高圧電源で構成され、プラス側が各イオン化線（41）に接続され、マイナス側が各荷電用電極（42）に接続されている。荷電用電源部（45）のマイナス側は接地されるため、各荷電用電極（42）の電位は実質的にゼロとなる。
【００４５】
−活性種生成部、及びその周辺構造の構成−
図２及び図３に示すように、活性種生成部（50）とイオン化部（40）とは、空気流れと直交する同一の平面上に配置されている。
【００４６】
活性種生成部（50）のケーシング（51）は、第２側面パネル（31d）に沿ってユニットケース（31）の幅方向に延びている。また、上述した主流入口（32）の間には、２本のダクト（36a,36b）が配置されている。ダクト（36a,36b）は、放電部（54a）で生成した活性種を主空気流路（P1）へ供給するための供給部を構成する。ダクト（36a,36b）は、活性種を、空気清浄ユニット（30）への空気の流れにおける、集塵部（60）の上流に搬送する。
【００４７】
各ダクト（36a,36b）は、主流入口（32）の長手方向に真っ直ぐ延びており、隣接する２つの荷電用電極（42）の間に保持されている。各ダクト（36a,36b）の内部流路（39）は、ケーシング（51）の内部空間に連通している。また、各ダクト（36a,36b）の下流側の面には、多数の円形状の空気流出孔（38）が形成される。これらの空気流出孔（38）は、ダクト（36a,36b）の長手方向に等間隔を置いて配列される。このように、空気清浄ユニット（30）では、流入口（52a）、ダクト（36a,36b）の内部流路（39）、及び空気流出孔（38）が、副空気流路を構成している。
【００４８】
図５は、図３の放電部（54a）を示す平面図である。図６は、図３の放電部（54a）の縦断面を示す構成図である。図７は、図３の活性種生成部（50）の横断面図である。放電部（54a）は、ケーシング（51）内に配置されており、放電をするための電極を有し、ストリーマ放電を行うことにより活性種を生成する。
【００４９】
具体的には、放電部（54a）は、図５〜図７に示すように、棒状の３つの放電電極（55）と、これらの放電電極（55）に対向する１つの対向電極（56）と、各放電電極（55）を支持する支持部材（57）とを備えている。支持部材（57）は、１つの基板部（57a）と、該基板部（57a）に支持される３つの支持部（57b）とを備えている。基板部（57a）は、流入口（52a）の長手方向に沿って延びる板状に形成されている。３つの支持部（57b）は、基板部（57a）から上方（上面パネル（31b）側）に向かって突出している。各支持部（57b）は、基板部（57a）の長手方向に等間隔を置いて配列される。各支持部（57b）の突端には、棒状の放電電極（55）が支持されている。
【００５０】
放電電極（55）は、流入口（52a）の長手方向に沿って延びる棒状に形成される。放電電極（55）は、導電性の金属材料（例えばタングステン線）で構成される。対向電極（56）は、各放電電極（55）の両端部にそれぞれ対向するように、該放電電極（55）の長手方向に沿って延びる板状に形成される。対向電極（56）は、導電性の金属材料で構成される。
【００５１】
図６に示すように、空気清浄ユニット（30）は、放電電極（55）及び対向電極（56）に電位差を付与するための放電用電源部（58）を備えている。放電用電源部（58）は、高圧電源で構成され、そのマイナス端子が対向電極（56）と接続され、プラス端子が放電電極（55）と接続されている。放電用電源部（58）のマイナス端子は接地されるので、対向電極（56）の電位は実質的にゼロとなる。なお、放電部（54a）では、例えば対向電極（56）を放電用電源部（58）のプラス端子に接続し、放電電極（55）を接地して放電を行うようにしてもよい。
【００５２】
図７に示すように、活性種生成部（50）の流入口（52a）からケーシング（51）内に、空気が流入する。放電電極（55）と対向電極（56）との間では、放電によって活性種が発生する。流入した空気は、活性種とともにダクト（36a等）に流出する。
【００５３】
−集塵部、及びその周辺構造の構成−
図８は、空気清浄ユニット（30）の内部構造（集塵部の構造）を示す斜視図である。図９は、集塵部（60）を上流側（下側）から視た平面図である。図１０は、集塵部（60）を下流側（上側）から視た平面図である。
【００５４】
図８〜図１０に示すように、本実施形態の集塵部（60）は、６つの集塵ユニット（70）が組み合わされて構成される。各集塵ユニット（70）は、４本の縦ステー（61）、１本の横ステー（62）と、１本の接地用ステー（63）とによって主空気流路（P1）に保持されている。各縦ステー（61）及び横ステー（62）は、集塵ユニット（70）の一方の電極（高圧電極（71））にプラスの電位を付与するための給電部材として機能する。また、接地用ステー（63）は、集塵ユニット（70）の他方の電極（集塵電極）を接地するための接地部材として機能する。縦ステー（61）及び横ステー（62）は、集塵部（60）の上流部に配置され、接地用ステー（63）は、集塵部（60）の下流部に配置される。
【００５５】
図８及び図９に示すように、４本の縦ステー（61）は、ユニットケース（31）の第３及び第４側面パネル（31e,31f）の間に支持されている。各縦ステー（61）は、ユニットケース（31）の幅方向に延びる棒状に形成され、互いに平行となるようにユニットケース（31）の長手方向に等間隔を置いて配置される。具体的に、これらの縦ステー（61）は、第１側面パネル（31c）に隣接する第１縦ステー（61a）と、第２側面パネル（31d）に隣接する第２縦ステー（61b）と、第１縦ステー（61a）と第２縦ステー（61b）の間に配列される第３及び第４縦ステー（61c,61d）とで構成される。各縦ステー（61）の長手方向の一端は、第１連結部材（64a）を介して第３側面パネル（31e）に連結している。各縦ステー（61）の長手方向の他端は、第２連結部材（64b）を介して第４側面パネル（31f）に連結している。これらの連結部材（64a,64b）は、絶縁性の樹脂材料で構成される。これにより、ユニットケース（31）と各縦ステー（61）とは、互いに電気的に絶縁状態となる。
【００５６】
横ステー（62）は、第１側面パネル（31c）及び第２側面パネル（31d）の各近傍に亘って、ユニットケース（31）の長手方向に延びる棒状に形成される。横ステー（62）は、各縦ステー（61）と直交するように、該各縦ステー（61）の下面における長手方向の中間部に固定される。これにより、横ステー（62）と各縦ステー（61）とが電気的に接続される。
【００５７】
図１０に示すように、接地用ステー（63）は、集塵部（60）の下流端に配置され、第１側面パネル（31c）及び第２側面パネル（31d）に亘って、ユニットケース（31）の長手方向に延びている。接地用ステー（63）の長手方向の一端は、第１側面パネル（31c）の幅方向の中間部に固定される。接地用ステー（63）の長手方向の他端は、第２側面パネル（31d）の幅方向の中間部に固定される。つまり、接地用ステー（63）は、上述した横ステー（62）と空気流れ方向にオーバーラップしている。接地用ステー（63）は、接地状態となっている。
【００５８】
図１１は、集塵ユニット（70）の分解斜視図である。図４及び図１１に示すように、各集塵ユニット（70）は、高圧電極（71）と集塵電極（81）と枠部材（90）とを備えている。集塵ユニット（70）では、高圧電極（71）と集塵電極（81）の一方が第１電極を構成し、他方が第２電極を構成する。また、枠部材（90）は、高圧電極（71）と集塵電極（81）との相対的な位置を決定するように、両者の電極（71,81）を支持する。
【００５９】
高圧電極（71）は、導電性の樹脂材料で構成される。より詳細には、高圧電極（71）は、いわゆる微導電性の樹脂材料で構成され、その体積抵抗率は例えば１０８Ω・ｃｍ以上１０１３Ω・ｃｍ未満に設定される。集塵電極（81）は、導電性の金属材料で構成される。より詳細には、集塵電極（81）は、薄板状のステンレスバネ鋼によって構成される。
【００６０】
枠部材（90）は、集塵電極（81）を囲む矩形状に形成されている。枠部材（90）は、互いに対向する板状の２つの樹脂枠部（91）と、互いに対向する板状の２つの金属枠部（100）とが組み合わされて構成される。樹脂枠部（91）は、絶縁性の樹脂材料で構成され、金属枠部（100）は、導電性の金属材料で構成される。
【００６１】
空気清浄ユニット（30）は、高圧電極（71）と集塵電極（81）とに電位差を付与するための集塵用電源部（65）を備えている（図４を参照）。集塵用電源部（65）は、高圧電源で構成される。集塵用電源部（65）のプラス側は、給電部材（縦ステー（61）及び横ステー（62））を介して高圧電極（71）に接続されている。また、集塵用電源部（65）のマイナス側は、接地用ステー（63）及び金属枠部（100）を介して集塵電極（81）に接続されている。集塵用電源部（65）のマイナス側は接地されるので、集塵電極（81）の電位は実質的にゼロとなる。
【００６２】
−集塵ユニットの詳細な構成−
集塵ユニット（70）の詳細な構成について、更に詳細に説明する。図１１のように、高圧電極（71）と集塵電極（81）とは、多数の通風孔（72,82）を有する格子構造の基台部（73,83）と、該基台部（73,83）から通風孔（72,82）の軸方向に突出する多数の突起部（74,84）とをそれぞれ有している。
【００６３】
図１２は、集塵ユニット（70）の高圧電極（71）の基台部（73）の一部を上流側から視た平面図である。高圧電極（71）の基台部（73）は、縦ステー（61）に沿って延びる３つの縦壁部（75）と、該縦壁部（75）に直交する多数の横壁部（76）とを有し、これらの壁部（75,76）が組み合わされて格子状に形成される。高圧電極（71）の基台部（73）には、縦長の多数の通風孔（72）が形成される。これらの通風孔（72）は、横ステー（62）に沿った方向に延びる長穴によって構成される。
【００６４】
図１３は、集塵ユニット（70）の集塵電極（81）の基台部（83）の一部の横断面図である。高圧電極（71）の各突起部（74）は、各横壁部（76）から空気の下流側（集塵電極（81）の基台部（83）側）に向かってそれぞれ突出した板状に形成される。高圧電極（71）では、各突起部（74）が横壁部（76）に沿うように所定の間隔で配列される。また、高圧電極（71）では、複数の突起部（74）が、該突起部（74）の板厚方向に沿って等間隔に配列される。高圧電極（71）の各突起部（74）は、集塵電極（81）の各通風孔（82）にそれぞれ挿通される。
【００６５】
高圧電極（71）には、基台部（73）から上流側に突出する複数の上流側突起部（77）が形成されている。各上流側突起部（77）は、高圧電極（71）の突起部（74）及び横壁部（76）と概ね同じ厚みの板状に形成される。また、各上流側突起部（77）は、高圧電極（71）の各通風孔（72）の長辺部に沿うように延びており、高圧電極（71）の突起部（74）よりも幅広に形成される。
【００６６】
図１１に示すように、高圧電極（71）の基台部（73）には、縦ステー（61）に隣接する一対の外側面にそれぞれ第１と第２の取付板（78,79）が設けられる。第１取付板（78）及び第２取付板（79）は、ビスを介して各縦ステー（61）に固定される。これにより、高圧電極（71）は、縦ステー（61）と電気的に接続される。第１取付板（78）は、高圧電極（71）の基台部（73）の外側面のうち集塵ユニット（70）の隅部に対応する位置に配置されている。第１取付板（78）は、上下に扁平な板状に形成されている。第１取付板（78）には、ビス穴（78a）が板厚方向に貫通して形成される。
【００６７】
第２取付板（79）は、高圧電極（71）の基台部（73）の外側面の長手方向の中間部に配置されている。第２取付板（79）は、上下に扁平且つ縦ステー（61）に沿って延びる長板状に形成されている。第２取付板（79）の長手方向の一端部寄りには、ビス穴（79a）が板厚方向に貫通して形成される。第２取付板（79）の長手方向の他端部寄りには、凸部（79b）が形成される。凸部（79b）は、第２取付板（79）の下流面から枠部材（90）に向かって突出している。凸部（79b）は、上下方向に延びる円柱状に形成される。
【００６８】
集塵電極（81）の基台部（83）は、縦ステー（61）に沿って延びる複数枚の縦板部（85）と、該縦板部（85）に直交する多数の横板部（86）とを有し、これらの板部（85,86）が格子状に組み合わされて構成される。
【００６９】
図１２に示すように、集塵ユニット（70）の上流端では、高圧電極（71）の各上流側突起部（77）と集塵電極（81）の各突起部（84）とが対向する。これにより、高圧電極（71）の各上流側突起部（77）と集塵電極（81）の各突起部（84）との間には、空気中の塵埃や菌を捕集するための電界が形成される。また、集塵ユニット（70）の上流部では、高圧電極（71）の各通風孔（72）と、集塵電極（81）の各突起部（84）の外周面との間に空気中の塵埃や菌を捕集するための電界が形成される。更に、図１３に示すように、集塵ユニット（70）の下流部では、集塵電極（81）の各通風孔（82）と、高圧電極（71）の各突起部（74）の外周面との間に空気中の塵埃や菌を捕集するための電界が形成される。
【００７０】
−活性種生成部における要素の配置−
活性種生成部（50）における要素の配置について、詳細に説明する。図１４は、活性種生成部（50）の流入口（52a）及び放電部（54a）の配置の例を示す平面図である。図１４〜図１９は、空気清浄ユニット（30）の主流入口（32）への空気（被処理空気）の流れの上流からの平面視の図である。図１４は、図３に対応している。見やすくするために、図１４〜図１９では横方向の長さを拡大している。
【００７１】
活性種生成部（50）は、ケーシング（51）と、流入口（52a）と、放電部（54a）とを有する。図１４において、放電部（54a）は、流入口（52a）とダクト（36a）の取り入れ口（37a）との間、及び、流入口（52a）とダクト（36b）の取り入れ口（37b）との間に配置されている。言い換えると、流入口（52a）は、放電部（54a）に関して取り入れ口（37a,37b）の反対側に形成されている。
【００７２】
ダクト（36a,36b）の取り入れ口（37a,37b）は、ケーシング（51）に接続されている。ダクト（36a,36b）のそれぞれの内部流路（39）は、ケーシング（51）の内部空間と連通しており、この点は、以下の他の例においても同様である。流入口（52a）から流入した空気の一部は、例えば、活性種を運ぶ搬送空気の空気流（FA）として、放電部（54a）を経由してダクト（36a）の取り入れ口（37a）へ向かって流れる。流入口（52a）から流入した空気の残りは、例えば、搬送空気の空気流（FB）として、放電部（54a）を経由してダクト（36b）の取り入れ口（37b）へ向かって流れる。
【００７３】
取り入れ口（37a,37b）は、ダクト（36a,36b）のそれぞれの開口であり、放電部（54a）で生成された活性種をダクト（36a,36b）にそれぞれ取り入れる。ダクト（36a,36b）は、その一部がケーシング（51）の中に挿入されていてもよい。この場合、ケーシング（51）内においてダクト（36a,36b）の側面に取り入れ口が開口していてもよい。
【００７４】
図１４において、放電部（54a）は、流入口（52a）からダクト（36a）の取り入れ口（37a）への空気流（FA）の経路上、及び流入口（52a）からダクト（36b）の取り入れ口（37b）への空気流（FB）の経路上に、配置されている。したがって、図１４の活性種生成部（50）によると、放電部（54a）で生成された活性種をダクト（36a,36b）に確実に送り込むことができる。
【００７５】
なお、図１４の平面図において、放電部（54a）は、流入口（52a）とダクト（36a）の取り入れ口（37a）とを結ぶ直線上、及び、流入口（52a）とダクト（36b）の取り入れ口（37b）とを結ぶ直線上に、配置されている。流入口（52a）とダクト（36a）とを結ぶ２本の直線（L1,L2）の間の領域は、流入口（52a）とダクト（36a）とを結ぶ直線が存在し得る領域を示している。流入口（52a）とダクト（36b）とを結ぶ２本の直線（L3,L4）の間の領域は、流入口（52a）とダクト（36b）とを結ぶ直線が存在し得る領域を示している。
【００７６】
このように、図１４の場合は、流入口（52a）とダクト（36a）とを結ぶ直線であって、流入口（52a）とダクト（36a）とを結ぶ直線が存在し得る領域の境界となる２本の直線（L1,L2）は、いずれも、放電部（54a）を通過している。他のダクトについても同様である。すなわち、流入口（52a）とダクト（36b）とを結ぶ直線であって、流入口（52a）とダクト（36b）とを結ぶ直線が存在し得る領域の境界となる２本の直線（L3,L4）は、いずれも、放電部（54a）を通過している。
【００７７】
また、流入口（52a）の長手方向の長さは、同じ方向の放電部（54a）の長さより短い。このため、流入口（52a）とダクト（36a）の取り入れ口（37a）とを結ぶ直線、及び、流入口（52a）とダクト（36b）の取り入れ口（37b）とを結ぶ直線が、放電部（54a）を通過しやすくなっている。
【００７８】
−空気を浄化する動作−
空気調和装置（10）の冷房運転や暖房運転時において空気を浄化する動作について説明する。図１に示す空気調和装置（10）の室内ファン（17）が運転されると、室内の空気が吸込口（14a）から収容空間（S）へ吸い込まれる。収容空間（S）では、まず、空気がプレフィルタ（21）を通過する。プレフィルタ（21）では、空気中の比較的大きな塵埃が捕捉される。プレフィルタ（21）を通過した空気は、空気清浄ユニット（30）に流入する。
【００７９】
空気清浄ユニット（30）では、荷電用電源部（45）からイオン化部（40）へ電位差が付与される。また、放電用電源部（58）から放電部（54a）へ電位差が付与される。また、集塵用電源部（65）から集塵部（60）へ電位差が付与される。
【００８０】
空気清浄ユニット（30）に流入した空気の多くは、主流入口（32）を通じてイオン化部（40）へ供給される。イオン化部（40）では、イオン化線（41）と荷電用電極（42）との間で放電（例えばコロナ放電）が行われ、イオン化線（41）と荷電用電極（42）の間に塵埃や菌を帯電させるための電界が形成される。この結果、イオン化線（41）から荷電用電極（42）に向かってプラスイオンが発生し、このプラスイオンが荷電用電極（42）に衝突する。この結果、イオン化線（41）と荷電用電極（42）の間を流れる空気中の塵埃や菌がプラスに帯電される。
【００８１】
また、空気清浄ユニット（30）に流入した空気の残りは、流入口（52a）を通じて活性種生成部（50）へ送られる。活性種生成部（50）の放電部（54a）では、放電電極（55）と対向電極（56）との間でストリーマ放電が行われ、この放電に伴い活性種が発生する。この活性種により、空気中の臭気成分や有害成分が分解・除去される。活性種生成部（50）の空気は、残存する活性種とともにダクト（36a,36b）の内部流路（39）を順に流れ、空気流出孔（38）から集塵部（60）の上流側へ流出する。つまり、空気流出孔（38）を流出した空気は、イオン化部（40）を通過した空気と合流する。この際、空気中に含まれる活性種は、イオン化部（40）を通過した空気の流れにより、集塵部（60）の上流側の全域に拡散する。
【００８２】
合流した空気は、集塵部（60）の各集塵ユニット（70）へ流入する。この空気は、まず、高圧電極（71）の各上流側突起部（77）と、集塵電極（81）の各突起部（84）の間を通過する。この結果、プラスに帯電した塵埃や菌が、集塵電極（81）の各突起部（84）の上流部の外周面に付着する。次いで、この空気は、高圧電極（71）の基台部（73）の各通風孔（72）と、集塵電極（81）の各突起部（84）の間を通過する。この結果、プラスに帯電した塵埃や菌が、集塵電極（81）の各突起部（84）の下流部の外周面に付着する。次いで、この空気は、集塵電極（81）の基台部（83）の各通風孔（82）と、高圧電極（71）の各突起部（74）の間を通過する。この結果、プラスに帯電した塵埃や菌が、集塵電極（81）の各通風孔（82）の内周面に付着する。このように、集塵ユニット（70）では、接地状態である集塵電極（81）の表面に塵埃や菌が捕捉される。また、集塵ユニット（70）には、活性種生成部（50）で発生した活性種が供給される。このため、集塵電極（81）の表面に付着した菌が、この活性種により分解・除去される。
【００８３】
集塵部（60）を通過した空気は、脱臭分解部（22）を流れる。脱臭分解部（22）では、空気中の臭気成分や有害成分が触媒フィルタに吸着されて除去される。脱臭分解部（22）に吸着された臭気成分や有害成分は、空気中に含まれる活性種によって徐々に分解されていく。この結果、脱臭分解部（22）での臭気成分や有害成分の吸着能力が回復する。
【００８４】
脱臭分解部（22）を通過した空気は、上述したように、室内熱交換器（18）で冷却又は加熱された後、室内空間へ供給される。この結果、空気調和装置（10）では、室内の冷房や暖房とともに室内の空気の浄化が行われる。
【００８５】
−実施形態の効果−
図１４では、放電部（54a）は、被処理空気の流れの上流からの平面視において、流入口（52a）からダクト（36a）の取り入れ口（37a）への搬送空気の経路上、及び、流入口（52a）からダクト（36b）の取り入れ口（37b）への搬送空気の経路上に、配置されている。流入口（52a）からの搬送空気の流れが放電部（54a）を経由するので、放電部（54a）で生成された活性種をダクト（36a,36b）に確実に送り込むことができる。活性種が、活性種生成部（50）内に滞留しにくく、速やかに搬送されるので、短寿命の活性種も有効に利用され得る。したがって、生成された活性種がより活用されるようになる。
【００８６】
図１４では、放電部（54a）が、上記平面視において、流入口（52a）とダクト（36a）の取り入れ口（37a）とを結ぶ直線上、及び、流入口（52a）とダクト（36b）の取り入れ口（37b）とを結ぶ直線上に、配置されている。流入口（52a）は、放電部（54a）に関して取り入れ口（37a）の反対側に形成されている。流入口（52a）からの搬送空気は、基本的には上記直線に近い経路を流れるので、放電部（54a）で生成された活性種をダクト（36a,36b）に確実に送り込むことができる。
【００８７】
−変形例−
図１５は、活性種生成部（50）の流入口（52a,52b）及び放電部（54a,54b）の配置の他の例を示す平面図である。活性種生成部（50）は、ケーシング（51）と、流入口（52a,52b）と、放電部（54a,54b）とを有する。流入口（52a）から流入した空気は、例えば、搬送空気の空気流（FA）として、放電部（54a）を経由してダクト（36a）の取り入れ口（37a）へ向かって流れる。流入口（52b）から流入した空気は、例えば、搬送空気の空気流（FB）として、放電部（54b）を経由してダクト（36b）の取り入れ口（37b）へ向かって流れる。
【００８８】
図１５において、放電部（54a）は、流入口（52a）からダクト（36a）の取り入れ口（37a）への空気流（FA）の経路上に配置されている。放電部（54b）は、流入口（52b）からダクト（36b）の取り入れ口（37b）への空気流（FB）の経路上に、配置されている。したがって、図１５の活性種生成部（50）によると、放電部（54a,54b）で生成された活性種をダクト（36a,36b）に確実に送り込むことができる。
【００８９】
図１５では、放電部（54a）が、被処理空気の流れの上流からの平面視において、流入口（52a,52b）のうちダクト（36a）の取り入れ口（37a）に最も近い流入口（52a）とそのダクト（36a）の取り入れ口（37a）とを結ぶ直線上に、配置されている。また、放電部（54b）が、被処理空気の流れの上流からの平面視において、流入口（52a,52b）のうちダクト（36b）の取り入れ口（37b）に最も近い流入口（52b）とそのダクト（36b）の取り入れ口（37b）とを結ぶ直線上に、配置されている。最も近い流入口（52a;52b）からの搬送空気がダクト（36a;36b）に流れるので、活性種をダクト（36a,36b）に、より確実に送り込むことができる。
【００９０】
図１６は、活性種生成部（50）の流入口（52a）及び放電部（54a）の配置の他の例を示す平面図である。活性種生成部（50）は、ケーシング（51）と、流入口（52a）と、放電部（54a）とを有する。流入口（52a）から流入した空気の一部は、例えば、搬送空気の空気流（FA）として、放電部（54a）を経由してダクト（36a）の取り入れ口（37a）へ向かって流れる。流入口（52a）から流入した空気の残りは、例えば、搬送空気の空気流（FB）として、放電部（54a）を経由してダクト（36b）の取り入れ口（37b）へ向かって流れる。
【００９１】
図１６において、放電部（54a）は、流入口（52a）からダクト（36a）の取り入れ口（37a）への空気流（FA）の経路上、及び流入口（52a）からダクト（36b）の取り入れ口（37b）への空気流（FB）の経路上に、配置されている。したがって、図１６の活性種生成部（50）によると、放電部（54a）で生成された活性種をダクト（36a,36b）に確実に送り込むことができる。
【００９２】
なお、図１６の平面図において、放電部（54a）は、流入口（52a）とダクト（36a）の取り入れ口（37a）とを結ぶ直線上、及び、流入口（52a）とダクト（36b）の取り入れ口（37b）とを結ぶ直線上に、配置されている。
【００９３】
図１７は、活性種生成部（50）の流入口（52a）及び放電部（54a）の配置の他の例を示す平面図である。活性種生成部（50）は、ケーシング（51）と、流入口（52a）と、放電部（54a）とを有する。図１７において、放電部（54a）は、流入口（52a）の下に配置されている。流入口（52a）から流入した空気の一部は、例えば、搬送空気の空気流（FA）として、放電部（54a）を経由してダクト（36a）の取り入れ口（37a）へ向かって流れる。流入口（52a）から流入した空気の残りは、例えば、搬送空気の空気流（FB）として、放電部（54a）を経由してダクト（36b）の取り入れ口（37b）へ向かって流れる。
【００９４】
図１７において、放電部（54a）は、流入口（52a）からダクト（36a）の取り入れ口（37a）への空気流（FA）の経路上、及び流入口（52a）からダクト（36b）の取り入れ口（37b）への空気流（FB）の経路上に、配置されている。したがって、図１７の活性種生成部（50）によると、放電部（54a）で生成された活性種をダクト（36a,36b）に確実に送り込むことができる。このように、放電部（54a）は、流入口（52a）の下に配置されていてもよい。
【００９５】
なお、図１７の平面図において、放電部（54a）は、流入口（52a）とダクト（36a）の取り入れ口（37a）とを結ぶ直線上、及び、流入口（52a）とダクト（36b）の取り入れ口（37b）とを結ぶ直線上に、配置されている。
【００９６】
図１８は、活性種生成部（50）の流入口（52a,52b）及び放電部（54a）の配置の他の例を示す平面図である。活性種生成部（50）は、ケーシング（51）と、流入口（52a,52b）と、放電部（54a）と、整流板（59a,59b）とを有する。
【００９７】
整流板（59a,59b）は、例えば、ケーシング（51）の上面から下面に達する板である。整流板（59a）は、ケーシング（51）の、図１８における上方の側面から、流入口（52a）の、この側面から最も遠い点の近傍の端点（Q1）まで、ケーシング（51）の長手方向に延び、更にこの端点（Q1）からダクト（36a）の取り入れ口（37a）の近傍まで延びている。整流板（59b）は、ケーシング（51）の、図１８における下方の側面から、流入口（52b）の、この側面から最も遠い点の近傍の端点（Q2）まで、ケーシング（51）の長手方向に延び、更にこの端点（Q2）からダクト（36b）の取り入れ口（37b）の近傍まで延びている。
【００９８】
このように構成された整流板（59a）は、放電部（54a）を経由するように、流入口（52a）から流入した空気を誘導する。このため、流入口（52a）から流入した空気は、例えば、搬送空気の空気流（FA）として、放電部（54a）を経由してダクト（36a）の取り入れ口（37a）へ向かって流れる。また、整流板（59b）は、放電部（54a）を経由するように、流入口（52b）から流入した空気を誘導する。このため、流入口（52b）から流入した空気は、例えば、搬送空気の空気流（FB）として、放電部（54a）を経由してダクト（36b）の取り入れ口（37b）へ向かって流れる。
【００９９】
図１８において、放電部（54a）は、流入口（52a）からダクト（36a）の取り入れ口（37a）への空気流（FA）の経路上、及び流入口（52b）からダクト（36b）の取り入れ口（37b）への空気流（FB）の経路上に、配置されている。このように、整流板（59a,59b）を有するので、放電部（54a）が、流入口（52a）とダクト（36a）の取り入れ口（37a）とを結ぶ直線上や、流入口（52b）とダクト（36b）の取り入れ口（37b）とを結ぶ直線上に配置されていなくても、搬送空気が放電部（54a）を経由するようにすることができる。したがって、図１８の活性種生成部（50）によると、放電部（54a）で生成された活性種をダクト（36a,36b）に確実に送り込むことができる。
【０１００】
なお、図１８は一例であって、流入口（52a,52b）から流入した空気の少なくとも一部が放電部（54a）を経由するように構成されていればよい。また、整流板（59a,59b）は、端点（Q2）のように放電部（54a）に達していてもよいし、端点（Q1）のように放電部（54a）に達していなくてもよい。
【０１０１】
図１９は、活性種生成部（50）の流入口（52a,52b）及び放電部（54a）の配置の他の例を示す平面図である。整流板（59a）が、端点（Q1）からダクト（36a）の取り入れ口（37a）の近傍までの部分を有しておらず、整流板（59b）が、端点（Q2）からダクト（36b）の取り入れ口（37b）の近傍までの部分を有していないという点以外は、図１９の活性種生成部（50）は、図１８の活性種生成部（50）と同様に構成されている。
【０１０２】
図１９の場合においても、整流板（59a）は、放電部（54a）を経由するように、流入口（52a）から流入した空気を誘導する。このため、流入口（52a）から流入した空気は、例えば、搬送空気の空気流（FA）として、放電部（54a）を経由してダクト（36a）の取り入れ口（37a）へ向かって流れる。また、整流板（59b）は、放電部（54a）を経由するように、流入口（52b）から流入した空気を誘導する。このため、流入口（52b）から流入した空気は、例えば、搬送空気の空気流（FB）として、放電部（54a）を経由してダクト（36b）の取り入れ口（37b）へ向かって流れる。
【０１０３】
したがって、図１９の活性種生成部（50）によると、放電部（54a）で生成された活性種をダクト（36a,36b）に確実に送り込むことができる。なお、図１９は一例であって、流入口（52a,52b）から流入した空気の少なくとも一部が放電部（54a）を経由するように構成されていればよい。また、整流板（59a,59b）は、端点（Q2）のように放電部（54a）に達していてもよいし、端点（Q1）のように放電部（54a）に達していなくてもよい。また、図１８及び図１９において、活性種生成部（50）は２個以上の放電部（54a）を有していてもよい。
【０１０４】
なお、上記実施形態では、空気清浄ユニット（30）が２本のダクト（36a,36b）を有する場合について説明したが、空気清浄ユニット（30）が１本又は２本より多くのダクトを有していてもよい。
【０１０５】
上記実施形態では、空気清浄ユニット（30）は、室内の冷房や暖房を行う空気調和装置（10）に搭載されている。しかし、空気清浄ユニット（30）は、例えば室内の空気を清浄化する空気清浄機や、室内の加湿や除湿を行う調湿装置に搭載されてもよい。
【産業上の利用可能性】
【０１０６】
以上説明したように、本発明は、空気中の塵埃を捕集する空気清浄ユニット等について有用である。
【符号の説明】
【０１０７】
36a,36b  ダクト
37a,37b  取り入れ口
39  内部流路
40  荷電部
50  活性種生成部
51  ケーシング
52a,52b  流入口
54a,54b  放電部
59a  整流板
60  集塵部
【図１】
2015016412.tif 000003
【図２】
2015016412.tif 000004
【図３】
2015016412.tif 000005
【図４】
2015016412.tif 000006
【図５】
2015016412.tif 000007
【図６】
2015016412.tif 000008
【図７】
2015016412.tif 000009
【図８】
2015016412.tif 000010
【図９】
2015016412.tif 000011
【図１０】
2015016412.tif 000012
【図１１】
2015016412.tif 000013
【図１２】
2015016412.tif 000014
【図１３】
2015016412.tif 000015
【図１４】
2015016412.tif 000016
【図１５】
2015016412.tif 000017
【図１６】
2015016412.tif 000018
【図１７】
2015016412.tif 000019
【図１８】
2015016412.tif 000020
【図１９】
2015016412.tif 000021